(57)【要約】【課題】カメラとして使用したときに、シャッタを押してから被写体画像が得られるまでの処理時間の短縮化が図れる携帯端末及び携帯端末の撮影方式設定方法を得る。【解決手段】ライブビュー中に、カメラ１０３が取得した画像から被写体のサイズを検出し、検出した被写体のサイズから該被写体までの距離を判定し、判定した距離に応じてカメラライト１０４の輝度、最大露光時間、測光方式等の撮影方式を変更する。したがって、ライブビュー中に撮影方式の変更を行うことで、シャッタを押してから被写体画像が得られるまでの時間を短くできる。すなわち、カメラライト１０４の輝度、最大露光時間、測光方式等の撮影方式の変更がオートフォーカス処理後となる従来技術と比べて被写体画像が得られるまでの時間の短縮化が図れる。【選択図】図１
2011171917.tif 000002
【特許請求の範囲】
【請求項１】
カメラと、
前記カメラが取得した画像を解析して被写体のサイズを検出する被写体検出部と、
前記被写体検出部で検出された前記被写体のサイズから前記被写体までの距離を判定する距離判定部と、
前記カメラによるライブビューの表示中に前記距離判定部で判定された前記被写体までの距離に応じて撮影方式を変更する撮影方式変更部と、
を備えた携帯端末。
【請求項２】
前記撮影方式の変更がカメラライトの輝度変更であり、
前記撮影方式変更部は、前記距離判定部で判定された前記距離に応じて前記カメラライトの輝度を変更する請求項１に記載の携帯端末。
【請求項３】
前記撮影方式の変更が測光方式の変更であり、
前記撮影方式変更部は、前記距離判定部で判定された前記距離に応じて前記測光方式を変更する請求項１に記載の携帯端末。
【請求項４】
前記撮影方式の変更が最大露光時間の変更であり、
前記撮影方式変更部は、前記距離判定部で判定された前記距離に応じて前記最大露光時間を変更する請求項１に記載の携帯端末。
【請求項５】
カメラと、
前記カメラが取得した画像を解析して被写体のサイズを検出する被写体検出部と、
前記被写体検出部で検出された前記被写体のサイズから前記被写体がメインの撮影か、被写体と風景がメインの撮影かを判定するメイン撮影判定部と、
前記カメラによるライブビューの表示中に前記メイン撮影判定部での判定結果に応じて撮影方式を変更する撮影方式変更部と、
を備えた携帯端末。
【請求項６】
前記撮影方式変更部は、前記被写体のサイズが一定以上ある場合は前記被写体がメインの撮影であると判定し、被写体を中心とした測光方式で通所の露光時間での撮影を行い、前記被写体のサイズが一定未満の場合は被写体及び風景がメインの撮影と判定し、撮影範囲全体を平均とした測光方式とし、さらに、最大露光時間を長くした設定で撮影を行う請求項５に記載の携帯端末。
【請求項７】
カメラが取得した画像を解析して被写体のサイズを検出する被写体検出工程と、
前記被写体検出工程で検出された前記被写体のサイズから前記被写体までの距離を判定する距離判定工程と、
前記カメラによるライブビューの表示中に前記距離判定工程で判定された前記被写体までの距離に応じて撮影方式を変更する撮影方式変更工程と、
を備えた撮影方式設定方法。
【請求項８】
カメラが取得した画像を解析して被写体のサイズを検出する被写体検出工程と、
前記被写体検出工程で検出された前記被写体のサイズから前記被写体がメインの撮影か、被写体と風景がメインの撮影かを判定するメイン撮影判定工程と、
前記カメラによるライブビューの表示中に前記メイン撮影判定工程での判定結果に応じて撮影方式を変更する撮影方式変更工程と、
を備えた撮影方式設定方法。
【請求項９】
コンピュータに、カメラが取得した画像を解析して被写体のサイズを検出する手順、前記被写体サイズ検出手順で検出された前記被写体のサイズから前記被写体までの距離を判定する手順、前記カメラによるライブビューの表示中に前記距離判定手順で判定された前記被写体までの距離に応じて撮影方式を変更する手順を実装させるための撮影方式設定プログラム。
【請求項１０】
コンピュータに、カメラが取得した画像を解析して被写体のサイズを検出する手順、前記被写体サイズ検出手順で検出された前記被写体のサイズから前記被写体がメインの撮影か、被写体と風景がメインの撮影かを判定する手順、前記カメラによるライブビューの表示中に前記メイン撮影判定手順での判定結果に応じて撮影方式を変更する手順を実装させるための撮影方式設定プログラム。
【発明の詳細な説明】
【技術分野】
【０００１】
本発明は、カメラを搭載した携帯端末及び撮影方式設定方法、撮影方式設定プログラムに関する。
【背景技術】
【０００２】
近年、携帯電話やＰＤＡ(Personal Digital Assistant)等の携帯端末にはカメラを搭載したものが普及している。この種の携帯端末に搭載されたカメラの殆どが固定焦点式のものであるが、ＡＦ(Auto Focus：オートフォーカス)式を採用したものもある。固定焦点方式を採用することで、被写体までの距離を測定してフォーカスを設定する必要がないため、構成を簡略化できるというメリットがあるが、カメラライトの輝度、最大露光時間、測光方式等の撮影方式を被写体までの距離に応じて変更することができないため、近距離撮影時の撮影画像に白飛び等の問題が発生することがある。
【０００３】
ところで、撮影画像において主要被写体が占める大きさから当該被写体までの距離を求める距離検出装置が開発されている。例えば、特許文献１で開示された距離検出装置は、撮影画面において人の顔を占める大きさ（ピクセル数）を予め被写体ごとに求めてテーブル化してメモリに記憶しておき、測距時に撮像信号から人の顔を抽出し、抽出した撮像信号に対応するピクセル数をカウントして、前記メモリに記憶させたテーブルから被写体までの距離を求めるようにしている。
【先行技術文献】
【特許文献】
【０００４】
【特許文献１】特開２００３−０７５７１７号公報
【発明の概要】
【発明が解決しようとする課題】
【０００５】
しかしながら、上述した特許文献１で開示された距離検出装置においては、被写体までの距離をオートフォーカス処理時に求めているため、必然的にカメラライトの輝度、最大露光時間、測光方式等の撮影方式の変更がオートフォーカス処理後となり、シャッタを押してから被写体画像が得られるまでの時間が長くなるという課題がある。
【０００６】
本発明は係る事情に鑑みてなされたものであり、カメラとして使用したときに、シャッタを押してから被写体画像が得られるまでの処理時間の短縮化が図れる携帯端末及び撮影方式設定方法、撮影方式設定プログラムを提供することを目的とする。
【課題を解決するための手段】
【０００７】
本発明の携帯端末は、カメラと、前記カメラが取得した画像を解析して被写体のサイズを検出する被写体検出部と、前記被写体検出部で検出された前記被写体のサイズから前記被写体までの距離を判定する距離判定部と、前記カメラによるライブビューの表示中に前記距離判定部で判定された前記被写体までの距離に応じて撮影方式を変更する撮影方式変更部と、を備えた。
【発明の効果】
【０００８】
本発明は、カメラを搭載した携帯端末において、シャッタを押してから被写体画像が得られるまでの時間の短縮化が図れる。
【図面の簡単な説明】
【０００９】
【図１】本発明の一実施の形態に係る携帯端末の概略構成を示すブロック図
【図２】図１の携帯端末において、被写体のサイズより被写体までの距離を判定してカメラライトの輝度を変更する例を示す図
【図３】図１の携帯端末の動作を示すフロー図
【図４】図１の携帯端末において、被写体のサイズから測光方式と最大露光時間の変更を行う例を示す図
【発明を実施するための形態】
【００１０】
以下、本発明を実施するための好適な実施の形態について、図面を参照して詳細に説明する。
図１は、本発明の一実施の形態に係る携帯端末の概略構成を示すブロック図である。同図において、本実施の形態の携帯端末１００は、ＡＦ方式のカメラを搭載した携帯電話に相当するものであり、無線部１０１と、ディスプレイ１０２と、カメラ１０３と、カメラライト１０４と、制御部１０５（撮影方式変更部、メイン撮影判定部）とを備える。無線部１０１は、携帯電話として無線通信を行う。ディスプレイ１０２は、液晶あるいは有機ＥＬ(Electro Luminescence)の表示器（図示略）を有し、ユーザに携帯電話の動作状態の表示を行い、カメラ動作中は撮影画像の表示等を行う。カメラ１０３は、被写体を撮影して被写体の画像を出力する。カメラライト１０４は、カメラ１０３の動作時に点灯して暗所でもカメラ１０３が明るい画像を取得できるように補助灯として役割を行う。
【００１１】
制御部１０５は、図示せぬＣＰＵ(Central Processing Unit)と、このＣＰＵを制御するためのプログラムを記憶したＲＯＭ(Read Only Memory)と、ＣＰＵの動作において使用されるＲＡＭ(Random Access Memory)とを備えて構成される。制御部１０５は、携帯端末１００を携帯電話として使用するときは、主に無線部１０１及びディスプレイ１０２を制御し、カメラとして使用するときは主にディスプレイ１０２、カメラ１０３及びカメラライト１０４を制御する。
【００１２】
制御部１０５は、カメラ１０３が取得した画像を解析して被写体の位置やサイズを検出する被写体検出部（距離判定部）１０６を有しており、この被写体検出部１０６は主に被写体の”顔”を検出する。制御部１０５は、被写体検出部１０６で検出された被写体の位置、サイズ情報を用いてオートフォーカスや撮影方式の変更を行う。すなわち、カメラ１０３から取得した画像を解析して被写体のサイズを検出し、検出した被写体のサイズより被写体までの距離を判定し、判定した距離に応じてカメラ１０３のレンズ（図示略）位置設定（フォーカス調整）を行うとともに、カメラライト１０４の輝度、最大露光時間、測光方式等の撮影方式を変更する。
【００１３】
図２に被写体のサイズより被写体までの距離を判定してカメラライト１０４の輝度を変更する例を示す。図２に示すように、被写体のサイズが大きい場合は被写体が近い距離にあると判定してカメラライト１０４を低輝度に設定し、被写体のサイズが小さい場合は被写体が遠い距離にあると判断してカメラライト１０４を高輝度に設定する。この場合、予め被写体のサイズに応じて複数段階の輝度を決めておくことで、カメラライト１０４の輝度を容易に設定することができる。なお、被写体のサイズより被写体までの距離を判定してカメラライト１０４の輝度を変更する以外に、測光方式の変更や最大露光時間の変更も行う。
【００１４】
制御部１０５は、携帯端末１００をカメラとして使用するときは上述した撮影方式の変更をライブビューの表示中に行う。ここで、ライブビューとは、レンズから入った像をディスプレイ１０２に直接表示するための機能である。ライブビューの表示によって、撮影前の映像を確認することができる。ライブビューの表示中に撮影方式の変更を行うことで、シャッタを押してから被写体画像が得られるまでの時間を短くできる。すなわち、カメラライト１０４の輝度、最大露光時間、測光方式等の撮影方式の変更がオートフォーカス処理後となる従来技術と比べて被写体画像が得られるまでの時間の短縮化が図れる。
【００１５】
なお、カメラライト１０４は、手動での輝度設定も可能となっているが、被写体との間の距離に応じて最適な輝度を設定しなければ白飛びしたり撮影した画像が明るくなったりしない。すなわち、被写体が近距離にある状態でカメラライト１０４を極端に高輝度で発光させた場合にはカメラ１０３から取り込まれる画像がカメラライト１０４の光の影響により白飛びし、逆に被写体が遠距離にある状態でカメラライト１０４を低輝度で発光させた場合にはカメラ１０３から取り込まれる画像は明るくならない。
【００１６】
また、カメラライト１０４を、人物を被写体としてその人物の肌を美しく見せるための撮影用ライトとして用いる場合、顔のサイズから顔までの距離を判定し、カメラライト１０４の設定輝度を調整するが、肌をより美しく見せるようにするために輝度の設定基準を変えるようにするとよい。
【００１７】
上記被写体検出部１０６は、被写体検出手段に対応する。また、上記制御部１０５は、距離判定手段及び撮影方式変更手段に対応する。
【００１８】
次に、図３に示すフロー図を参照して、本実施の形態の携帯端末１００の動作を説明する。まず制御部１０５は、電源の投入により携帯電話モードを設定する（ステップＳ１）。制御部１０５は、携帯電話モードを設定した後、カメラモードが選択されたかどうか判定し（ステップＳ２）、カメラモードが選択されていなければ、他の処理（ステップＳ３）を実行してステップＳ１に戻る。これに対し、制御部１０５は、カメラモードが選択された場合はカメラモードを設定し（ステップＳ４）、ライブビューの表示を開始する（ステップＳ５）。
【００１９】
被写体検出部１０６は、ライブビューの表示開始後、カメラ１０４から取得した画像から被写体のサイズを検出する（ステップＳ６）。そして、被写体検出部１０６は、検出した被写体のサイズから該被写体までの距離を判定する（ステップＳ７）。なお、被写体のサイズから該被写体までの距離の判定方法には例えば前述した特許文献１で開示された方法を用いることができる。制御部１０５は、被写体までの距離を判定した後、当該距離に応じて撮影方式を変更する（ステップＳ８）。この場合、制御部１０５は、例えばカメラライト１０４の輝度の変更については、被写体のサイズが大きい場合は該被写体が近い距離にあると判定してカメラライト１０４を低輝度に設定し、被写体のサイズが小さい場合は該被写体が遠い距離にあると判定してカメラライト１０４を高輝度に設定する。
【００２０】
次いで、制御部１０５は、シャッタが半押しされたかどうか判定し（ステップＳ９）、半押しされていなければステップＳ５に戻り、シャッタが半押しされるまでステップＳ５〜ステップＳ８の処理を繰り返す。制御部１０５は、シャッタが半押しされると、ステップＳ７で判定した被写体までの距離の情報を用いてフォーカス調整を行う（ステップＳ１０）。制御部１０５は、フォーカス調整後、シャッタが全押されたかどうか判定し（ステップＳ１１）、シャッタが全押しされていなければステップＳ９に戻り、シャッタが全押しされた場合は被写体の撮影を行う（ステップＳ１２）。そして、制御部１０５は、撮影した被写体の画像を記憶媒体（図示せず）に記憶する（ステップＳ１３）。
【００２１】
このように本実施の形態の携帯端末１によれば、ライブビューの表示中に、カメラ１０３が取得した画像から被写体のサイズを検出し、検出した被写体のサイズから該被写体までの距離を判定し、判定した距離に応じてカメラライト１０４の輝度、最大露光時間、測光方式等の撮影方式を変更する。したがって、ライブビューの表示中に撮影方式の変更を行うことでシャッタを押してから被写体画像が得られるまでの時間を短くできる。すなわち、カメラライト１０４の輝度、最大露光時間、測光方式等の撮影方式の変更がオートフォーカス処理後となる従来技術と比べて被写体画像が得られるまでの時間の短縮化が図れる。
【００２２】
なお、本実施の形態はＡＦ方式のカメラを搭載した携帯端末１００であったが、固定焦点方式のカメラを搭載した携帯端末にも用いることができる。固定焦点方式のカメラに用いることで、被写体までの距離に応じてカメラライトの輝度、最大露光時間、測光方式等の撮影方式の変更が可能となり、最適な撮影方式で撮影を行うことが可能となる。
【００２３】
また、本実施の形態では、検出した被写体のサイズから該被写体までの距離を判定し、この判定結果に応じてカメラライト１０４の輝度、最大露光時間、測光方式等の撮影方式を変更するようにしたが、検出した被写体のサイズから被写体がメインの撮影か、被写体と風景がメインの撮影かを判定し、この判定結果に応じてカメラライト１０４の輝度、最大露光時間、測光方式等の撮影方式を変更するようにしてもよい。この撮影方式の変更処理もカメラ１０３によるライブビューの表示中に行う。
【００２４】
図４に被写体のサイズから測光方式と最大露光時間の変更を行う例を示す。図４に示すように、ライブビューの表示中に、被写体のサイズが一定以上ある場合は被写体がメインの撮影であると判定し、被写体を中心とした測光方式で通所の露光時間での撮影を行う。一方、被写体のサイズが一定未満の場合は被写体及び風景がメインの撮影と判定し、撮影範囲全体を平均とした測光方式とし、さらに、最大露光時間を長くした設定で撮影を行う。図４に示す例では、検出した被写体のサイズにより被写体がメインの撮影か、被写体及び風景がメインの撮影かを判定し、被写体に重点を合わせて撮影するか、撮影画像全体を重点として撮影するかを切替えることができる。さらに、被写体及び風景がメインの撮影の場合、最大露光時間を長く設定して撮影を行うことにより、夜景等の長い露出時間を必要とする風景も美しく撮影できるという効果が得られる。
【００２５】
本発明は、カメラを搭載した携帯電話やＰＤＡ等の携帯端末以外にデジタルスチルカメラへの適用も可能である。
【産業上の利用可能性】
【００２６】
本発明は、カメラを搭載した携帯電話やＰＤＡ等の携帯端末への適用が可能である。
【符号の説明】
【００２７】
１００  携帯端末
１０１  無線部
１０２  ディスプレイ
１０３  カメラ
１０４  カメラライト
１０５  制御部
１０６  被写体検出部
【図１】
2011171917.tif 000003
【図２】
2011171917.tif 000004
【図３】
2011171917.tif 000005
【図４】
2011171917.tif 000006